(57)【要約】【課題】  完成後の作品が大人の美的鑑賞にも耐え得るような優れた美術性・芸術性を有し、特に、高齢者に対する作業療法の一環として採用可能な塗り絵を提供することを課題とする。【解決手段】  塗り絵１は、着色対象面５が正方形状の複数の着色領域２に区画して構成された紙媒体からなる塗り絵本体６と、原画見本のイメージ等を再現可能なように、着色領域２に対してそれぞれ付与され、着色する色を塗り絵作業者に対して指定可能な着色指定記号４とを具備する。そして、着色指定記号４の指定に基づいて、各着色領域２がそれぞれ作業者によって着色され、全ての着色領域２の着色を完了することにより、完了作品が完成する。【選択図】        図１
2007017469.tif 000002
【特許請求の範囲】
【請求項１】
原画見本に対応して作成され、着色対象面が同一形状の複数の着色領域によって区画して構成された塗り絵本体と、
前記原画見本のイメージを再現可能にそれぞれの前記着色領域に対して付与され、前記着色領域を着色する色を、前記原画見本に基づいて文字、数字、及び記号の少なくともいずれか一つによって指定可能な着色指定記号と
を具備することを特徴とする塗り絵。
【請求項２】
前記着色対象面は、
正方形状を呈する複数の前記着色領域によって升目状に構成されることを特徴とする請求項１に記載の塗り絵。
【請求項３】
前記着色対象面は、
縦方向に正方形状を呈する前記着色領域を１０マス以上、４０マス以下、
横方向に前記着色領域を１０マス以上、４０マス以下、それぞれ配して構成されることを特徴とする請求項２に記載の塗り絵。
【請求項４】
前記着色指定記号は、
前記着色領域を着色する際に使用する使用色種を２色以上、１０色以下に指定することを特徴とする請求項１乃至請求項３のいずれか一つに記載の塗り絵。
【請求項５】
作業療法の一環として使用することを特徴とする請求項１乃至請求項４のいずれか一つに記載の塗り絵。
【発明の詳細な説明】
【技術分野】
【０００１】
本発明は、塗り絵に関するものであり、特に、写真や絵画等の美術作品からなる原画見本に依拠し、少ない使用色種で原画見本の印象やイメージ等を再現可能に形成され、高齢者等の作業療法に活用可能な塗り絵に関するものである。
【背景技術】
【０００２】
従来から、写真や絵画等の美術作品を基にして、ジグソーパズル、及び塗り絵等の玩具を使用した遊びが行われている。これらの玩具の多くは、遊戯対象者である幼児や児童（以下、「幼児等」と称す）に、遊戯を通じて創造力、思考力、問題解決力、及び色彩認知力等の種々の能力や才能を伸ばすことが可能なものであり、ブロック等とともに「知育玩具」の一種として知られている。
【０００３】
ここで、塗り絵は、その基礎となる原画見本に対応して作成され、原画見本に描画または表現された種々の描画物（例えば、「花」や「草木」等）の輪郭線のみによって構成したものである。そして、幼児等の遊戯者は、この輪郭線に囲まれた領域を、原画見本を参考、または、自らの意志によって選択した色の彩色用具（クレヨン等）を使用して塗潰す。そして、輪郭線の囲まれた全ての領域について、着色を完了することにより、塗り絵の作品が完成する。なお、選択する色の違いによって、個々の遊戯者によって独創性が発揮されたものとなる。
【０００４】
このとき、幼児等は、主に曲線で構成された輪郭線で囲まれた領域から着色する色がはみ出ることのないように細心の注意を払い、また色の塗りムラが生じないように作業を行っている。すなわち、塗り絵の表面（着色対象面）に描かれた輪郭線及び当該領域を視覚を通じて認識し、当該情報を脳まで伝達する。そして、脳は、認識した輪郭線等の情報に基づいて、クレヨン等を把持した腕の筋肉を動かす命令を行い、輪郭線をなぞるような動作、或いは輪郭線内を塗り潰す動作を行うようにする。なお、係る動作の際も視覚等を通じて常に情報を得て、輪郭線からはみ出ないように適宜動作の処理を行っている。すなわち、係る塗り絵を塗る作業は、人間の活動において、”情報の認識”、”筋制御による動作”、さらには、”動作に対する修正（フィードバック制御）”等の非常に高度な処理を必要とするものである。そのため、上述したように、幼児等の能力を高めることができる。さらに、視覚を通じて複数の色の中からどの色が、当該領域に最適であるかを決定するような判断力、或いは、複数の色を混合することによって、原画見本に近似する色を新たに創作するなど塗り絵に関連し、非常に多くの知的活動及び当該能力が求められる。
【０００５】
一方、近年の少子化問題及び長寿化から、高齢者人口が増大した高齢化社会への移行が顕著になっている。そして、これに伴って、アルツハイマー型痴呆症または脳血管性痴呆症等に代表されるような、所謂「呆け」の症状や認知障害等を訴える高齢者の数も増加している。このような場合、これらの症状の進行を比較的遅延させ、或いは症状自体の改善を目的として、多くの作業療法を実施することがある。この作業療法は、主に指先を用いて複雑な作業（例えば、手芸や工芸等）を該高齢者に行わせることにより、指先の末端神経を刺激し、脳の活動を活性化することができる。そして、係る作業療法の一環として、上述した脳内の高度な情報処理が必要とされる「塗り絵」を採用し、高齢者等に実施させる老人介護施設等も知られている。
【０００６】
なお、上記の技術は、当業者において当然実施されているものであり、出願人は本願出願時において、上記技術が記載された文献を特に知見するものではない。
【発明の開示】
【発明が解決しようとする課題】
【０００７】
ところが、上述した塗り絵の大部分は、幼児等の低年齢層を対象とするものがほとんどであった。そのため、塗り絵に採用されるデザインや原画見本等も幼児等が好む、或いは好奇心を示すようなアニメのキャラクターや動物等のものがほとんどであった。また、幼児等でも容易に塗り絵が完成できるように、塗り絵を構成する輪郭線も比較的簡易に表現したものが多く、完成後の作品も子供部屋に飾るようなものが多かった。そのため、完成後の塗り絵の作品が、大人でも鑑賞に堪え得るような美術的・芸術的センスに優れたものはほとんどなく、また、これらを飾って鑑賞することができるようなものはほとんどなかった。
【０００８】
一方、老人介護施設等でも、上述した幼児用の塗り絵を利用する場合、高齢者が塗り絵に係る作業療法に大きな興味を抱くことが少なくなり、すぐに飽きを感じるようなことがあった。特に、幼児用のものは、輪郭線等も比較的簡易に構成され、一般的な大人であれば数十分程度の比較的短い時間で完成することができるようなものが多かった。すなわち、難易度が平易すぎるため、塗り絵の作業療法による呆け症状等の改善を期待するリハビリテーション効果がほとんどないことがあった。
【０００９】
そこで、本発明は上記実情に鑑み、完成後の作品が大人の美的鑑賞にも耐え得るような優れた美術性・芸術性を有し、特に、高齢者に対する作業療法の一環として採用可能な塗り絵を提供することを課題とするものである。
【課題を解決するための手段】
【００１０】
上記課題を解決するため、本発明にかかる塗り絵は、「原画見本に対応して作成され、着色対象面が同一形状の複数の着色領域によって区画して構成された塗り絵本体と、前記原画見本のイメージを再現可能にそれぞれの前記着色領域に対して付与され、前記着色領域を着色する色を、前記原画見本に基づいて文字、数字、及び記号の少なくともいずれか一つによって指定可能な着色指定記号と」を具備するものから主に構成されている。
【００１１】
ここで、塗り絵本体とは、従来の塗り絵に係る構成と同様に、主に紙媒体によって構成されたシート状の物体を例示することができる。そして、この塗り絵本体の着色対象面（シート面）に着色を施すものとしては、クレヨン、絵の具、及び色鉛筆等の多種類の色を備える彩色用具を用いることが可能である。
【００１２】
また、これらの着色対象面を区画する同形状からなる複数の着色領域は、例えば、三角形状、四角形状、六角形状、及び円形状等の種々のものを採用することができる。しかしながら、複数の着色領域によって着色対象面を区画する場合、互いの着色領域の間に隙間が生じ、着色されない部分が発生するおそれがある。そのため、例えば、正三角形、正四角形、及び正六角形のように正多角形状を有し、互いの略着色領域の各辺同士を接するように配し、隙間無く着色対象面を埋めることが可能なものが好適である。
【００１３】
さらに、着色指定記号とは、当該着色領域を着色する際の色を指定するものである。なお、係る着色指定記号は、原画に対応した色を、本発明の塗り絵の製作者が予め決定し、決定した色を示すもの（例えば、”赤”、”青”、”緑”）、または単に他の着色領域との使用する色の違いを指定するもののいずれかであってもよい。ここで、他の着色領域との使用する色の違いを指定するものについて、さらに詳細に説明すると、例えば、”Ａ”、”Ｂ”、”Ｃ”のようなアルファベット、”１”、”２”、”３”のような数字、”○”、”◆”、”△”のような記号など、他の着色領域との区別がつくようなものであれば構わない。この場合、使用する色の選択は、塗り絵を行う塗り絵作業者の決定に委ねられる。すなわち、”Ａ＝黒”、”Ｂ＝赤”、”Ｃ＝黄”や”１＝オレンジ”、”２＝青”、”３＝白”などのように、それぞれの着色指定記号に対して使用する色を決定し、決定されたルールに基づいて着色を行うようにするものであってもよい。これにより、塗り絵作業者の好みやそのときの気分によって、選択される色が変化し、それぞれバリエーションに富んだ個性的なもの塗り絵作品が完成することとなる。
【００１４】
したがって、本発明の塗り絵によれば、同一形状の複数の着色領域が凝集し、着色対象面が区画された塗り絵本体と、該着色領域毎に付与された着色指定記号とを有している。これにより、塗り絵作業者は、着色領域にどのような色を着色すればよいのか、または、他の着色領域との間で使用する色を区別しながら、着色を決定することで、原画見本のイメージや印象等を損なわないようにした塗り絵を完成させることが可能となる。ここで、複数の着色領域によって着色対象面が区画されているため、個々の着色領域は、コンピュータの画面上における所謂”ドット”に相当することとなる。そのため、着色領域をそれぞれ塗り潰し、完成した塗り絵から少し離れて鑑賞することにより、人間の錯覚によって原画見本と同じような印象を感じ得るようになる。さらに、複数のドットが集合して構成されることから、原画見本として採用する絵画や写真等のバリエーションが広くなり、幼児向けのみならず大人であっても十分楽しめる内容のものとすることができるようになる。
【００１５】
さらに、本発明にかかる塗り絵は、上記構成に加え、「着色対象面が、正方形状を呈する複数の着色領域によって升目状に形成されている」ものであっても構わない。
【００１６】
したがって、本発明の塗り絵によれば、着色対象面が、正方形状を呈する複数の着色領域によって区画されている。すなわち、塗り絵本体の着色対象面が正方形または長方形状を有し、升目状（換言すれば、碁盤の目状）に形成されている。すなわち、正方形状の着色領域は、係る領域を構成する周囲の四辺の長さがいずれも同じであり、当該辺のいずれもがその他の着色領域の同じ長さの辺と接することとなる。そのため、複数の着色領域を凝集させることによって、隙間が生じることがない。その結果、完成後の塗り絵に無着色の部分（例えば、白色部分等）が存在することがなく、原画見本のイメージや趣等を損なうことがない。さらに、直線の辺（輪郭線に相当）のみによって構成されているため、曲線に沿って着色する場合と比べ、着色作業が比較的楽となる。そのため、幼児や高齢者等であっても容易に塗り絵を楽しむことが可能となる。
【００１７】
さらに、本発明にかかる塗り絵は、上記構成に加え、「前記着色対象面は、縦方向に正方形状を呈する前記着色領域を１０マス以上、４０マス以下、横方向に前記着色領域を１０マス以上、４０マス以下、それぞれ配して構成されることを特徴とする配して構成される」ものであっても構わない。
【００１８】
したがって、本発明の塗り絵によれば、着色対象面が縦方向及び横方向のそれぞれに対し、１０マス以上、４０マス以下の正方形状の着色領域によって構成されている。すなわち、着色対象面が”１０×１０”以上、”４０×４０”のマス目（着色領域）からなり、全体で１００マスから１６００マスの間の着色対象面によって区画される。これにより、着色作業を行う塗り絵作業者の年齢や熟練度に応じ、塗り絵の難易度を任意に変更することが可能となる。ここで、総マス数が１００マスよりも少ない着色領域によって構成される場合、原画見本のイメージを十分に再現可能な作品とすることが困難であり、塗り絵による楽しさを味わうことが困難となる。一方、総マス数が１６００マスを越えると、着色作業が長時間となり、完成までに多くの日数を要することとなる。
【００１９】
さらに、本発明にかかる塗り絵は、上記構成に加え、「前記着色指定記号は、前記着色領域を着色する際に使用する使用色種を２色以上、１０色以下に指定する」ものであっても構わない。
【００２０】
したがって、本発明の塗り絵によれば、使用する色種を２色以上、１０色以下に指定する、すなわち、２種類以上、１０種類以下の着色指定記号が着色領域に対してそれぞれ付与される。ここで、使用する使用色種が多種類の場合、着色作業が複雑化することがある。一方、使用色数が少ない場合、原画見本のイメージ等を十分に完成後の塗り絵作品が再現することができない。そのため、２色以上、１０色以下に使用色種を限定することにより、原画見本のイメージを損なわず、かつ塗り絵作業を複雑にすることなく塗り絵を楽しむことが可能となる。なお、２色以上、１０色以下の使用色種を指定した場合であっても、完成後の塗り絵を少し離れた場所から鑑賞することにより、人間の目の錯覚によって原画見本のイメージを十分に感じることのできるようなものとなる。特に、使用色種を２色（例えば、”白”と”黒”）に限定することによって、単純な色の組み合わせであっても趣のある塗り絵を構成することが可能となる。
【００２１】
さらに、本発明にかかる塗り絵は、上記構成に加え、「作業療法の一環として使用する」ものであっても構わない。
【００２２】
したがって、本発明の塗り絵によれば、高度な情報処理を要する塗り絵作業を行う作業療法の一環として使用されるものである。なお、高齢者等を対象として塗り絵作業を行わせる場合、塗り絵作業の時間等を勘案し、例えば、”２０×２０”の４００マスで構成されたものを採用することにより、数日の作業時間で塗り絵の作品を完成させることが可能となる。また、上述したように、使用する使用色種を２色以上、１０色以下の範囲（例えば、４色）で指定するように着色指定記号をそれぞれ付与することにより、原画見本のイメージ等を損なわず、また、大人の美的鑑賞に耐えることのできる作品を完成させることが可能となる。
【発明の効果】
【００２３】
本発明の効果として、同一形状からなる複数の着色領域によって区画された着色対象領域を、それぞれ着色指定記号に基づいて着色することにより、写真や絵画等の原画見本のイメージを再現可能な作品を完成させることができる。このとき、着色領域は、それぞれ細かな”ドット”で形成されているため、構成するドット数（＝着色領域の数）を増やすことにより、より原画見本に近づけることが可能となる。さらに、使用する色数を２色以上、１０色以下に限定することによっても、人間の錯覚を利用して、原画見本のイメージを感じることのできる趣のある作品に仕上げることができる。さらに、これらの塗り絵を老人介護施設等で実施される作業療法の一環として使用することにより、高度な情報処理能力が要求される塗り絵作業によって痴呆等の症状の改善及び症状の進行の停止を期待することができる。
【発明を実施するための最良の形態】
【００２４】
以下、本発明の一実施形態である塗り絵１について、図１乃至図３に基づいて説明する。ここで、図１は本実施形態の塗り絵１の構成を示す説明図であり、図２は着色指定記号４ａ，４ｂ，４ｃによって表現する（ａ）斜線、（ｂ）斜線、（ｃ）円の表現パターンの一例を示す説明図であり、図３は塗り絵１の完成作品３の一例を示す説明図である。なお、本実施形態の塗り絵１は、三種類の使用色種を用いて、該着色対象面５を塗分けるものについて例示している。さらに、本実施形態の塗り絵１では、図３の完成作品３に示されるように、レオナルド・ダ・ヴィンチの「モナリザ」を原画見本として採用し、係る原画見本のイメージや印象を損なわないように、着色指定記号４をそれぞれ着色領域２に付与したものについて示している。
【００２５】
本実施形態の塗り絵１は、原画見本の「モナリザ」に使用される配色等に対応して作成され、着色対象面５が正方形状の複数の着色領域２に区画して構成された紙媒体からなる塗り絵本体６と、原画見本のイメージ等を再現可能なように、着色領域２に対してそれぞれ付与され、着色する色を塗り絵作業者に対して指定可能な着色指定記号４とを具備して主に構成されている。ここで、着色指定記号４は、着色領域２を塗り分ける際の区別を示すものであり、”１”、”２”、”３”の数字が正方形状の着色領域２の中央付近に印字されている。なお、互いに隣接する着色領域２の間は、黒色の輪郭線７が引かれ、それぞれの着色領域２の辺をなしている。すなわち、着色対象面５が升目状（碁盤の目状）に区切られていることとなる。また、該着色対象面５は、縦方向に２０マス、及び、横方向に２０マスの着色領域２をそれぞれ配することによって、全体として”２０×２０”の合計４００マスの着色領域２からなる正方形状を呈したものとなっている。
【００２６】
さらに、着色領域２に対して、それぞれ付与される着色指定記号４は、塗り絵１の完成作品３の美術性、芸術性を勘案し、かつ、原画見本のイメージを可能な限り少ない使用色種（本実施形態の場合、３色）で再現可能なように、互いに隣接する着色領域２との使用色種の関係、及び着色対象面５の全体に対する配置等の種々の要因にも基づいて、塗り絵１の製作者の主観的な作業によって決定されている。そのため、完成作品３を立体的に表現可能なように、原画見本の当該部位には現れないような色の違いを、着色指定記号４によって指定することもある。
【００２７】
このとき、塗り絵１の製作者等は、原画見本に対応する輪郭や色の違いを表現するための一定の基準に従って原則的に着色指定記号４を付与することがある。例えば、図２（ａ）、図２（ｂ）、図２（ｃ）に例示するように複数の斜線（曲線を含む）や円（楕円等を含む）を表現するパターンとして、予め数種が規則化されている。ここで、図２（ａ）等では、図１で示した着色指定記号４の別態様として、記号４ａ（”○”、”◆”、”△”）、ひらがな４ｂ（”い”、”ろ”、”は”）、英字４ｃ（”Ａ”、”Ｂ”、”Ｃ”）のそれぞれを着色指定記号４として採用したものについて例示している。これにより、複雑な図柄の原画見本であっても、係る基準を利用して、原画見本のイメージを損なわない塗り絵１を完成させることができる。なお、上記基準は、あくまでも原則であって、塗り絵１の着色対象面５の全体のバランスや製作者の主観等によって、任意に変更することは勿論可能である。
【００２８】
次に、本実施形態の塗り絵１の使用方法の一例について説明する。まず、塗り絵１の着色対象面５を区画する複数の着色領域２に指定された三種類の着色指定記号４に対応する色８ａ，８ｂ，８ｃを決定する。ここで、係る決定は、塗り絵作業を行う塗り絵作業者（以下、「作業者」と称す）の意志に委ねられている。そこで、作業者は、着色指定記号４に係る”１”〜”３”のそれぞれに対応する色を決定する。ここでは、”１＝黄色”、”２＝黒色”、”３＝オレンジ色”と決定したものについて例示する。なお、図３の着色後の完成作品３は、本来はカラーイメージとして表現されるものの、便宜的にグレースケールに置換して表現したものを示している。
【００２９】
そして、上記決定した色に従って、各着色領域２を着色指定記号４に基づいて着色する。ここで、本実施形態の塗り絵１では、着色に使用する彩色用具として色鉛筆を用いるものについて例示する。このとき、着色領域２に印刷等によって付与された着色指定記号４が、色鉛筆による塗り潰しの際に透き通り、視認されることを回避するために、着色指定記号４は薄い印刷で付与されていることが望ましい。
【００３０】
個々の着色領域２に対して着色が施されることにより、図３に示されるように、塗り絵１の完成作品３が完成する。ここで、本実施形態の塗り絵１は、”２０×２０”の４００マスを僅か３色のみで表現している。そのため、塗り絵１に近づいた状態で観察したとしても、あまり原画見本のモナリザのイメージを感じとることは難しい。しかしながら、係る完成作品３を少し離れたところから鑑賞することによって、人間の目の錯覚等によってモナリザに近いイメージを感じ取ることができるようになる。これにより、少ない使用色種によって美的鑑賞に耐え得ることのできるものを作成することができる。
【００３１】
ここで、本実施形態の塗り絵１は、作業者として老人介護施設等の入居している高齢者を対象とすることができる。係る高齢者に対し、塗り絵作業を実施させることにより、着色指定記号４に対応する色の決定に伴う想像力、思考力を高め、実際に着色領域２を色鉛筆等で塗り潰すことによる手指の機能を回復等するためのリハビリ機能、指先を使用することによる末端神経の刺激によって脳内の活動を活発化し、痴呆等の症状の改善または防止が可能となるなど優れた効果を期待することができる。特に、従来の塗り絵のように、予め原画見本が付され、完成した図が想像可能なものと比べ、全ての着色領域２を塗り潰さなければ、完成作品３のイメージを想到することのできない本実施形態の塗り絵１は、これらの作業療法に最適のものと考えられる。また、着色指定記号４が同位置に配された塗り絵１であっても、作業者の選択する色によって、個性的な特徴を発揮することができる。そのため、一種類の塗り絵１であっても使用色種を変更することにより、独創的な完成作品３を作り上げることができるため、同じ作業を繰り返すことによっても飽きを感じることが少ない。
【００３２】
さらに、本実施形態では、”２０×２０”の４００マスの着色領域２から構成されるものを示したが、縦横をそれぞれ１０マス以上、４０マス以下の範囲、すなわち、１００マス以上、１６００マス以下の着色領域２によって任意の形状の塗り絵１を作成することができる。これにより、作業者の熟達度等のレベルや作業時間に適する塗り絵１を選択し、作業療法に用いることができる。また、使用する使用色種も２色以上、１０色以下に限定することにより、塗り絵作業が複雑化することがなく、高齢者であっても容易に楽しむことができる。さらに、限られた使用色種で原画見本のイメージを再現可能なように、塗り絵製作者が各着色領域２における着色指定記号４の付与を決定することで、完成作品３に個性的な特徴が現れる。すなわち、原画見本を写実的に表すのではなく、人間の目の錯覚を利用して、抽象的に表現することにより、独自の美術性及び芸術性を持った完成作品３に仕上げることができる。その結果、従来の美術作品等には無い、趣を感じとることができるようになる。
【００３３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３４】
すなわち、本実施形態において、使用する使用色種を３色に限定するものを例示したが、勿論これに限定されるものではなく、原画見本の配色に応じて１０色以下の色を選択することができる。ここで、図４は本発明の別態様の（ａ）塗り絵１０、及び（ｂ）塗り絵１０の完成作品の一例を示す説明図であり、四種類の着色指定記号４によって、すなわち、４色１２ａ，１２ｂ，１２ｃ，１２ｄを使って完成作品を製作したものを示している。
【００３５】
また、本実施形態の塗り絵１において、正方形状からなる着色領域２によって着色対象面５を区画したものを示したが、これに限定されるものではなく、原画見本のイメージを損なわず、かつ、着色指定記号４等によって着色領域２を着色することが可能であれば構わない。すなわち、正三角形状や正六角形状等の構成であっても構わない。係る形状の着色領域を採用することにより、完成作品のイメージを変更することもできる。すなわち、正多角形状の場合、正六角形や正八角形のように角数が大きくなることは、必然的に円に近似するようになる。そのため、円の曲線で表されるような丸みを帯びた曲線的なイメージの完成作品にすることができる。一方、正三角形や正四角形（正方形）のような鋭角（または直角）を有するものは、直線的なシャープなイメージの完成作品に仕上げることができるように思われる。そのため、採用する原画見本のイメージに合わせ、これらを任意に適宜選択可能にするものであってもよい。なお、着色領域の形状は、正多角形状に限られるものではなく、長方形状或いは円形状（或いは楕円形状）のような構成のものであっても構わない。
【図面の簡単な説明】
【００３６】
【図１】本実施形態の塗り絵の構成を示す説明図である。
【図２】着色指定記号によって表現される（ａ）斜線、（ｂ）斜線、（ｃ）円の表現パターンの一例を示す説明図である。
【図３】塗り絵の完成作品の一例を示す説明図である。
【図４】（ａ）塗り絵、及び（ｂ）塗り絵の完成作品の別例を示す説明図である。
【符号の説明】
【００３７】
１，１０  塗り絵
２  着色領域
３  完成作品
４  着色指定記号
４ａ  記号（着色指定記号）
４ｂ  ひらがな（着色指定記号）
４ｃ  英字（着色指定記号）
５  着色対象面
６  塗り絵本体
７  輪郭線
８ａ，８ｂ，８ｃ  色
１２ａ，１２ｂ，１２ｃ，１２ｄ  色
【図１】
2007017469.tif 000003
【図２】
2007017469.tif 000004
【図３】
2007017469.tif 000005
【図４】
2007017469.tif 000006